(57)【要約】【課題】第１のケースと第２のケースとを容易に分離することができるため、容易に解体することができる筐体ケースを提供する。【解決手段】第１のケース５と第２のケース６とが結合されてなり、ケース５，６との境界にケース５，６を分離させる際に挿入部材を挿入し得る挿入部が形成される筐体ケースであって、第１のケース５は第１係合部５３を備え、第２のケース６は、第２係合部６２と、第１方向Ｄ１に突出する傾斜リブ６３とを備え、第１係合部５３と第２係合部６２とを係合させることにより、第１のケース５と第２のケース６とが結合され、傾斜リブ６３は、第１方向Ｄ１に向けて且つ第２方向Ｄ２に向けて傾斜する傾斜面６３ａを有し、第１方向Ｄ１に沿って視た場合に、傾斜リブ６３の高さは、第１係合部５３と第２係合部６２との係合深さよりも大きくなっている。【選択図】図３
2009206752.tif 000002
【特許請求の範囲】
【請求項１】
第１のケースと第２のケースとが結合されてなり、該第１のケースと該第２のケースとの境界に該第１のケースと該第２のケースとを分離させる際に挿入部材を挿入し得る挿入部が形成される筐体ケースであって、
前記第１のケースは第１係合部を備え、前記第２のケースは、前記第１係合部と係合する第２係合部と、該第２係合部から前記第１係合部に向かう第１方向に突出する傾斜リブとを備え、
前記第１係合部と前記第２係合部とを係合させることにより、前記第１のケースと前記第２のケースとが結合され、
前記傾斜リブは、前記第１方向に向けて且つ前記挿入部の挿入方向側に向かう第２方向に向けて傾斜する傾斜面を有し、
前記第１方向に沿って視た場合に、前記傾斜リブの高さは、前記第１係合部と前記第２係合部との係合深さよりも大きくなっている筐体ケース。
【請求項２】
前記第１のケースは、前記第１係合部と前記第２係合部とを係合させた状態において前記傾斜リブを収容する収容凹部を更に備える請求項１に記載の筐体ケース。
【請求項３】
前記第１係合部は、前記第１方向とは反対向きの第３方向に突出する爪からなり、前記第２係合部は、該第３方向に凹んだ爪受け部からなる請求項１または２に記載の筐体ケース。
【請求項４】
前記傾斜リブは、前記第２係合部に対して、前記第１方向及び前記第２方向と直交する第４方向の両側にそれぞれ設けられる請求項１から３のいずれか１項に記載の筐体ケース。
【請求項５】
前記第２のケースは、前記挿入部に対向する壁部を有し、該壁部には、前記２個の傾斜リブにおける前記第４方向の外側に近接して、切り欠き部が形成されている請求項４に記載の筐体ケース。
【発明の詳細な説明】
【技術分野】
【０００１】
本発明は、携帯電話機などの筐体の外面を覆う筐体ケースに関する。
【背景技術】
【０００２】
携帯電話機などにおける筐体の外面を覆う筐体ケースは、多くの場合、筐体の前面側を覆うフロントケースと筐体の背面側を覆うリアケースとが結合されて形成されている。フロントケースとリアケースとの境界は、一般的には、筐体ケースの側面（前面の周囲と背面の周囲とを繋ぐ面）に位置している（例えば、下記特許文献１参照）。
【０００３】
また、筐体ケースにおいては、携帯電話機を修理する場合などにおいて、フロントケースとリアケースとの境界における空隙（挿入部）に「へら」等の挿入部材を挿入して、フロントケースとリアケースとを分離させることがある。このようなフロントケースとリアケースとを分離させる際に挿入部材を挿入する空隙を「挿入間隙」という。
【０００４】
図１０は、筐体ケース１３０の側面１３０ｃに挿入間隙Ｇ１が位置する従来の筐体ケース１３０の断面図である。図１０に示す筐体ケース１３０においては、フロントケース１０５の内側及びリアケース１０６の内側に、互いに係合する第１係合部１５３及び第２係合部１６２が設けられており、第１係合部１５３と第２係合部１６２とを係合させることにより、フロントケース１０５とリアケース１０６とが結合される。
【０００５】
このような挿入間隙Ｇ１が筐体ケース１３０の側面１３０ｃに位置する筐体ケース１３０においては、へらＨを挿入間隙Ｇ１に挿入し、その状態でへらＨをへらＨの厚み方向にこじることにより、フロントケース１０５（第１係合部１５３を含む）及び／又はリアケース１０６（第２係合部１６２を含む）が撓み、フロントケース１０５とリアケース１０６とを容易に分離することができる。
【０００６】
フロントケース１０５とリアケース１０６とを容易に分離できる主な理由は、へらＨをこじることによってフロントケース１０５及びリアケース１０６に加わる力の方向と、フロントケース１０５とリアケース１０６とを分離させる方向（何れも図１０における上下方向）とがほぼ一致しているためである。
【０００７】
また、筐体ケースには、フロントケースとリアケースとの境界における挿入間隙が、筐体ケースの側面ではなく、筐体ケースの背面又は前面に設けられているものがある。図１１は、筐体ケース２３０の背面２３０ｂに挿入間隙Ｇ２が位置する筐体ケース２３０の断面図である。図１１に示す筐体ケース２３０においては、図１０に示す筐体ケース１３０と同様に、フロントケース２０５の内側及びリアケース２０６の内側に、互いに係合する第１係合部２５３及び第２係合部２６２が設けられており、第１係合部２５３と第２係合部２６２とを係合させることにより、フロントケース２０５とリアケース２０６とが結合される。
【０００８】
図１１に示す筐体ケース２３０においては、挿入間隙Ｇ２が筐体ケース２３０の背面２３０ｂに位置するため、フロントケース２０５の第１係合部２５３及びリアケース２０６の第２係合部２６２は、筐体ケース２３０の背面２３０ｂ側に位置することになる。
【０００９】
【特許文献１】特開平７−２２６６９０号公報
【発明の開示】
【発明が解決しようとする課題】
【００１０】
しかし、挿入間隙Ｇ２が筐体ケース２３０の背面２３０ｂに位置する筐体ケース２３０においては、図１０に示す筐体ケース１３０は異なり、フロントケース２０５とリアケース２０６とを分離させることは容易ではない。その主な理由は、へらＨを挿入間隙Ｇ２に挿入し、その状態でへらＨをへらＨの厚み方向にこじったとしても、へらＨをこじることによってフロントケース２０５及びリアケース２０６に加わる力の方向（図１１における左右方向）と、フロントケース２０５とリアケース２０６とを分離させる方向（図１１における上下方向）とがほぼ直交しているためである。
【００１１】
このようにフロントケース２０５及びリアケース２０６には両者を分離させる方向の力が加わらないため、へらＨを挿入間隙Ｇ２内でひねり、フロントケース２０５及びリアケース２０６に両者を分離させる方向（図１１における上下方向）の力を付与する必要がある。
【００１２】
しかしながら、へらＨを挿入間隙Ｇ２内でひねると、フロントケース２０５及びリアケース２０６の外面が変形したり、フロントケース２０５及びリアケース２０６における塗装が剥がれるといった不具合が発生しやすい。このような不具合が発生すると、修理のためにフロントケース２０５とリアケース２０６とを分離した後に、フロントケース２０５及びリアケース２０６を再使用することができなくなるため、好ましくない。
【００１３】
従って、本発明は、第１のケースと第２のケースとを容易に分離することができるため、容易に解体することができる筐体ケースを提供することを目的とする。
【課題を解決するための手段】
【００１４】
本発明は、第１のケースと第２のケースとが結合されてなり、該第１のケースと該第２のケースとの境界に該第１のケースと該第２のケースとを分離させる際に挿入部材を挿入し得る挿入部が形成される筐体ケースであって、前記第１のケースは第１係合部を備え、前記第２のケースは、前記第１係合部と係合する第２係合部と、該第２係合部から前記第１係合部に向かう第１方向に突出する傾斜リブとを備え、前記第１係合部と前記第２係合部とを係合させることにより、前記第１のケースと前記第２のケースとが結合され、前記傾斜リブは、前記第１方向に向けて且つ前記挿入部の挿入方向側に向かう第２方向に向けて傾斜する傾斜面を有し、前記第１方向に沿って視た場合に、前記傾斜リブの高さは、前記第１係合部と前記第２係合部との係合深さよりも大きくなっている筐体ケースに関する。
【００１５】
また、前記第１のケースは、前記第１係合部と前記第２係合部とを係合させた状態において前記傾斜リブを収容する収容凹部を更に備えることが好ましい。
【００１６】
また、前記第１係合部は、前記第１方向とは反対向きの第３方向に突出する爪からなり、前記第２係合部は、該第３方向に凹んだ爪受け部からなることが好ましい。
【００１７】
また、前記傾斜リブは、前記第２係合部に対して、前記第１方向及び前記第２方向と直交する第４方向の両側にそれぞれ設けられることが好ましい。
【００１８】
また、前記第２のケースは、前記挿入部に対向する壁部を有し、該壁部には、前記２個の傾斜リブにおける前記第４方向の外側に近接して、切り欠き部が形成されていることが好ましい。
【発明の効果】
【００１９】
本発明の筐体ケースによれば、第１のケースと第２のケースとを容易に分離することができるため、容易に解体することができる。
【発明を実施するための最良の形態】
【００２０】
以下、本発明を実施するための最良の形態について、図面を参照しながら説明する。まず、本発明の一実施形態の筐体ケース３０を備えた携帯電話機１の基本構造について、図１及び図２を参照しながら説明する。
図１は、本発明の一実施形態の筐体ケース３０を備えた携帯電話機１について、操作部側筐体２と表示部側筐体３とを開いた状態で示す斜視図である。図２は、図１に示す携帯電話機１を折り畳んだ状態で表示部側筐体３のリアケース６側から視た斜視図である。
【００２１】
図１及び図２に示すように、本実施形態における携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。
【００２２】
操作部側筐体２は、その外面が、フロントケース２１及びリアケース２２を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２は、前面２ａと反対側の面である背面２ｂ側を構成する。
【００２３】
フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２４】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２５】
前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００２６】
操作部側筐体２の側面２ｃには、例えば、外部機器（例えば、ホスト装置）とデータの送受信を行うためのインターフェース、ヘッドホン／マイク端子、着脱可能な外部メモリのインターフェース、バッテリを充電するための充電端子が設けられている。
【００２７】
次に、表示部側筐体３について説明する。図１から図３に示すように、表示部側筐体３は、その外面が、第１のケースとしてのフロントケース５、及び第２のケースとしてのリアケース６からなる筐体ケース３０を主体として構成される。図３は、筐体ケース３０の背面３０ｂ側から視た表示部側筐体３の分解斜視図である。
【００２８】
表示部側筐体３の筐体ケース３０は、表示部側筐体３の第１の面としての前面３ａ側を覆うフロントケース５と、表示部側筐体３の第２の面としての背面３ｂ側を覆うリアケース６とが結合されてなる。フロントケース５とリアケース６との境界には、フロントケース５とリアケース６とを分離させる際に挿入部材Ｈ（図６及び図８参照）を挿入し得る挿入間隙（挿入部）Ｇ（図２参照）が形成される。挿入間隙Ｇは表示部側筐体３の背面３ｂに位置する。なお、挿入部材Ｈは、本実施形態においては「へら」であるが、これに制限されない。
【００２９】
また、詳細については後述するが、図３から図９に示すように、フロントケース５は、第１係合部５３と、リアケース６に設けられた傾斜リブ６３（後述）を収容する収容凹部５４とを備える。リアケース６は、第１係合部５３と係合する第２係合部６２と、第２係合部６２から第１係合部５３に向かう第１方向Ｄ１に突出する傾斜リブ６３とを備える。そして、図６に示すように、第１係合部５３と第２係合部６２とを係合させることにより、フロントケース５とリアケース６とが結合されると共に、傾斜リブ６３が収容凹部５４に収容される。
【００３０】
図４は、図３におけるＰ部の拡大図である。図５は、リアケース６を示す図であり、（ａ）は斜視図、（ｂ）は（ａ）におけるＱ部の拡大図であり、（ｃ）は（ｂ）を第３方向Ｄ３に視た図である。図６は、表示部側筐体３について、第１係合部５３及び第２係合部６２を第２方向Ｄ２に切断した部分断面図（図５（ｃ）におけるＡ−Ａ切断線参照）である。図７は、図６の部分拡大図である。図８は、表示部側筐体３について、収容凹部５４及び傾斜リブ６３を第２方向Ｄ２に切断した部分断面図（図５（ｃ）におけるＢ−Ｂ切断線参照）である。図９は、図８の部分拡大図である。
【００３１】
なお、本実施形態の説明において、第１方向Ｄ１とは、第２係合部６２から第１係合部５３に向かう方向である。第２方向Ｄ２とは、挿入間隙（挿入部）Ｇにおけるへら（挿入部材）Ｈの挿入方向であり、従って、表示部側筐体３の背面３ｂ側から前面３ａ側に向かう方向である。第３方向Ｄ３とは、第１方向Ｄ１とは反対向きの方向である。第４方向Ｄ４とは、第１方向Ｄ１及び第２方向Ｄ２と直交する方向である。第５方向Ｄ５とは、第２方向Ｄ２とは反対向きの方向である。
【００３２】
図１から図３に示すように、筐体ケース３０における前面３０ａは、フロントケース５及びカバー部材３３を主体として構成されている。前面３０ａは、携帯電話機１を折り畳んだ状態で操作部側筐体２と向かい合う面である。筐体ケース３０における背面３０ｂは、リアケース６を主体として構成されている。背面３０ｂは、前面３０ａとは反対側の面である。
【００３３】
筐体ケース３０（表示部側筐体３）における長手方向に沿う側面３０ｃは、フロントケース５を主体として構成されている。筐体ケース３０（表示部側筐体３）における幅方向に沿う上面３０ｄは、リアケース６を主体として構成されている。上面３０ｄは、表示部側筐体３の長手方向における連結部４と反対の端部である。
【００３４】
表示部側筐体３内には、各種情報を表示させるメイン液晶モジュール３４が配置されており、メイン液晶モジュール３４は、その一方の面に設けられたメイン表示部３４ａが、透明部分を主体とするカバー部材３３を介して、フロントケース５に形成された開口部５６ｂ（図６参照）から筐体ケース３０の前面３０ａに露出するように配置されている。
【００３５】
また、フロントケース５には、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００３６】
表示部側筐体３のリアケース６側には、各種情報を表示させるサブ液晶モジュール３６が配置されており、サブ液晶モジュール３６は、その一方の面に設けられたサブ表示部３６ａが、リアケース６の透明部分を介して筐体ケース３０の背面３０ｂに露出するように配置されている。
【００３７】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部などから構成される。
【００３８】
操作部側筐体２の上端部と表示部側筐体３の下端部とは、連結部４を介して開閉可能に連結されている。つまり、連結部４は、表示部側筐体３と操作部側筐体２とを開閉軸Ｘを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にすることができる。
【００３９】
次に、図３から図９を参照して、表示部側筐体３における本発明の特徴部分について詳細に説明する。
図３、図６などに示すように、表示部側筐体３は、リアケース６と、サブ液晶モジュール３６と、回路基板３５と、フロントケース５と、メイン液晶モジュール３４と、カバー部材３３と、を備えている。表示部側筐体３においては、リアケース６、サブ液晶モジュール３６、回路基板３５、フロントケース５、メイン液晶モジュール３４及びカバー部材３３が、この順で積層的に配置される。
【００４０】
フロントケース５とリアケース６とは、互いの凹状の内面が向き合うように配置されると共に、両ケース５，６の境界に位置する挿入間隙Ｇが筐体ケース３０の背面３０ｂ側に位置するように結合される。
詳細には、フロントケース５は、筐体ケース３０の前面３０ａにおける、カバー部材３３が配置された領域を除く領域を構成すると共に、表示部側筐体３の長手方向に沿う側面３０ｃを構成している。リアケース６は、筐体ケース３０の背面３０ｂの大部分を構成すると共に、筐体ケース３０の上面３０ｄの大部分を構成している。
【００４１】
このような構成を有するフロントケース５とリアケース６とを結合すると、両ケース５，６の境界に挿入間隙Ｇが形成される、挿入間隙Ｇは、筐体ケース３０の背面３０ｂにおける、側面３０ｃと背面３０ｂとの境界近傍に、表示部側筐体３の長手方向に延びるように形成される。即ち、挿入間隙Ｇは、筐体ケース３０の側面３０ｃには形成されない。
【００４２】
図３に示すように、リアケース６とフロントケース５との間には、サブ液晶モジュール３６が、リアケース６を介してサブ表示部３６ａが露出するように配置されており、サブ液晶モジュール３６の周囲を囲むように回路基板３５が配置されている。
そして、回路基板３５、及びサブ液晶モジュール３６におけるサブ表示部３６ａが設けられていない面側に、フロントケース５を構成する板金部材５１が配置されている。即ち、リアケース６とフロントケース５における板金部材５１との間には、サブ液晶モジュール３６及び回路基板３５が挟み込まれるように配置されている。
【００４３】
回路基板３５は、メイン液晶モジュール３４及びサブ液晶モジュール３６に給電などを行うものである。回路基板３５には、各種電子部品が配置されると共に、筐体ケース３０の前面３０ａ側に基準電位パターン層（図示せず）が形成されている。
【００４４】
図３、図４、図６等に示すように、フロントケース５は、金属製の板金部材５１と、板金部材５１の一部を覆う樹脂部材５２とが、インサート成形により一体的に成形されて構成される。フロントケース５は、枠形状の樹脂部材５２の一方側の面が板金部材５１に覆われており、図６に示すように、他方側に、メイン液晶モジュール３４が収納される収納凹部５６ａ及びカバー部材３３によって被覆される開口部５６ｂが形成されている。
【００４５】
板金部材５１は、平面状の板金における外縁が折り曲げられた形状で、一の広い面が開口した厚さが薄い箱状の形状を有している。具体的には、図６に示すように、板金部材５１は、平面状の平面部５１ａと板金側壁部５１ｂとを備える。板金側壁部５１ｂは、平面部５１ａの周縁に形成され、平面部５１ａから略垂直に筐体ケース３０の前面３０ａ側に起立している。
【００４６】
図３、図４、図６等に示すように、樹脂部材５２は、板金部材５１の周縁に設けられた板金側壁部５１ｂを覆うように形成された枠形状を有している。樹脂部材５２は、板金側壁部５１ｂが埋め込まれる埋め込み部５２ｂと、筐体ケース３０の側面３０ｃを形成する側面形成部５２ｃとを備える。
【００４７】
側面形成部５２ｃは、板金部材５１の平面部５１ａにおける板金側壁部５１ｂの起立方向とは反対面に突出していると共に、フロントケース５の長手方向に沿って延びている。側面形成部５２ｃには、フロントケース５の幅方向外側に凹む側面凹部５２ａが形成されている。図３及び図４に示すように、側面凹部５２ａは、一対の側面形成部５２ｃ、５２ｃに、フロントケース５の長手方向に離間してそれぞれ２カ所設けられている。つまり、側面凹部５２ａは、樹脂部材５２に計４カ所設けられている。
【００４８】
図３及び図４に示すように、第１係合部５３は、リアケース６における第２係合部６２に係合する部位（図６参照）であり、側面形成部５２ｃにおける側面凹部５２ａに対応する位置に、フロントケース５の樹脂部材５２から形成されている。つまり、第１係合部５３は、計４個設けられている。第１係合部５３は、第３方向Ｄ３に突出する爪からなる。第１係合部５３は、第４方向Ｄ４に沿って延びている。
【００４９】
図８に示すように、収容凹部５４は、第１係合部５３と第２係合部６２とを係合させた状態において、リアケース６における傾斜リブ６３を収容する凹部である。収容凹部５４は、第１係合部５３に対して、第４方向Ｄ４の両側にそれぞれ（１個の第１係合部５３につき２個）設けられている。収容凹部５４は、傾斜リブ６３を収容することができれば、その形状に制限はない。
【００５０】
図５に示すように、リアケース６は、第１方向Ｄ１の外側に、挿入間隙Ｇ（図２参照）に対向する壁部６１を有する。壁部６１は、第４方向Ｄ４に沿って延びている。壁部６１には、第２係合部６２が、第１係合部５３に対応する位置に計４個設けられている。第２係合部６２は、フロントケース５における第１係合部５３に係合する部位（図６参照）である。第２係合部６２は、第１係合部５３に対応して、第３方向Ｄ３に凹んだ爪受け部からなる。第２係合部６２は、第４方向Ｄ４に沿って延びている。
【００５１】
傾斜リブ６３は、第２係合部６２に対して、第４方向Ｄ４の両側にそれぞれ（１個の第２係合部６２につき２個）設けられている。傾斜リブ６３は、壁部６１から第１方向Ｄ１に突出している。傾斜リブ６３には、第５方向Ｄ５側に傾斜面６３ａが形成される。傾斜面６３ａは、第１方向Ｄ１に向けて且つ第２方向Ｄ２に向けて傾斜している。
【００５２】
へらＨの挿入方向（第２方向Ｄ２）に対する、傾斜面６３ａの傾斜角度θ（図９参照）は、適宜設定されるが、例えば５から６０度であり、好ましくは１５から４５度である。傾斜面６３ａの幅（第４方向Ｄ４に沿う幅。図５（ｃ）参照）Ｗ３は、適宜設定されるが、例えば０．５から１．５ｍｍであり、好ましくは０．６から０．８ｍｍである。
【００５３】
２個の傾斜リブ６３における第４方向Ｄ４の外側に近接して、切り欠き部６４が形成されている。切り欠き部６４の幅（第４方向Ｄ４に沿う幅。図５（ｃ）参照）Ｗ４は、適宜設定されるが、例えば０．５から２．０ｍｍであり、好ましくは０．６から１．０ｍｍである。
切り欠き部６４は、壁部６１における第２方向Ｄ２側の端部から第５方向Ｄ５に沿って延びているが、傾斜リブ６３における第５方向Ｄ５側の端部までは達していない。切り欠き部６４の長さ（第５方向Ｄ５に沿う長さ。図５（ｃ）参照）Ｗ５は、適宜設定されるが、例えば１．０から５．０ｍｍであり、好ましくは１．５から３．０ｍｍである。
【００５４】
図６から図９に示すように、本実施形態の筐体ケース３０においては、第１係合部５３と第２係合部６２とを係合させることにより、フロントケース５とリアケース６とが結合されると共に、傾斜リブ６３が収容凹部５４に収容される。
【００５５】
本実施形態の筐体ケース３０においては、第１方向Ｄ１に沿って視た場合に、傾斜リブ６３の高さＷ２（図９参照）は、第１係合部５３と第２係合部６２との係合深さＷ１（図７）よりも大きくなっている。傾斜リブ６３の高さＷ２と係合深さＷ１との差は、適宜設定されるが、例えば０から１．０ｍｍであり、好ましくは０．２から０．５ｍｍである。
【００５６】
本実施形態の筐体ケース３０によれば、例えば下記の各効果が奏される。
図４及び図５に示すように、本実施形態の筐体ケース３０においては、フロントケース５は第１係合部５３を備え、リアケース６は、第２係合部６２と傾斜リブ６３とを備え、傾斜リブ６３は、第１方向Ｄ１に向けて且つ第２方向Ｄ２に向けて傾斜する傾斜面６３ａを有している。また、図６から図９に示すように、第１方向Ｄ１に沿って視た場合に、傾斜リブ６３の高さＷ２は、第１係合部５３と第２係合部６２との係合深さＷ１よりも大きくなっている。
【００５７】
そのため、本実施形態の筐体ケース３０においては、第１係合部５３と第２係合部６２との係合を解除する方向（第３方向Ｄ３）と、フロントケース５とリアケース６とを分離させる方向（第５方向Ｄ５）とが略直交しているにも拘わらず、傾斜リブ６３の位置において、へらＨを挿入間隙Ｇに第２方向Ｄ２に沿って挿入すると、筐体ケース３０を容易に解体することができる。
【００５８】
詳細には、図８に示すように、へらＨを、挿入間隙Ｇにおける傾斜リブ６３の位置に挿入すると、へらＨは、まず傾斜面６３ａに当接する。更にへらＨを挿入すると、へらＨにより傾斜面６３ａが押圧されて、傾斜リブ６３は、第３方向Ｄ３に変位する。その結果、リアケース６における第２係合部６２も第３方向Ｄ３に変位すると共に、リアケース６は、全体として第５方向Ｄ５に向けて凸に湾曲する。そして、第３方向Ｄ３への第２係合部６２の変位量が、第１係合部５３と第２係合部６２との係合深さＷ１（図７参照）よりも大きくなると、第１係合部５３と第２係合部６２との係合が解除される。ここで、リアケース６は第５方向Ｄ５に向けて凸に湾曲しているため、フロントケース５とリアケース６との結合を容易に外すことができ、筐体ケース３０を容易に解体することができる。
【００５９】
フロントケース５は、一般的に、板金部材を含んでおり、リアケース６よりも剛性が高いため、リアケース６に傾斜リブ６３を設け、リアケース６を第５方向Ｄ５に向けて凸に湾曲しやすくすることは、筐体ケース３０の解体性を向上させる点で特に効果的である。
【００６０】
また、第１係合部５３と第２係合部６２とを係合させたときに、傾斜リブ６３が収容凹部５４に収容されるため、収容凹部５４が傾斜リブ６３の当たり逃げとして機能すると共に、傾斜リブ６３と収容凹部５４との組み合わせがフロントケース５とリアケース６との位置決め部材として機能する。
【００６１】
傾斜リブ６３は、第２係合部６２に対して、第４方向Ｄ４の両側にそれぞれ（計２個）設けられる。そのため、例えば、作業者がへらＨを傾斜面６３ａに当接させることができず、へらＨを２個の傾斜リブ６３，６３の間に挿入させた場合において、へらＨをその位置から第４方向Ｄ４の一方又は他方に移動させることにより、へらＨを容易に傾斜面６３ａに当接させることができる。従って、挿入間隙Ｇに対するへらＨの挿入位置の許容度が高い。
【００６２】
また、リアケース６の壁部６１には、２個の傾斜リブ６３，６３における第４方向Ｄ４の外側に近接して、切り欠き部６４，６４が形成されている。そのため、リアケース６における２個の切り欠き部６４，６４の間の部分が、即ち、傾斜リブ６３及び第２係合部６２が第３方向Ｄ３により変位しやすくなる。
また、傾斜リブ６３及び第２係合部６２が第３方向Ｄ３に変位しやすいため、フロントケース５とリアケース６とを結合させる際に、第１係合部５３と第２係合部６２とを係合させやすいと共に、傾斜リブ６３を収容凹部５４に収容しやすい。
【００６３】
以上、本発明の一実施形態について説明したが、本発明は上述した実施形態に制限されるものではない。
例えば、前記実施形態においては、第１のケースがフロントケース５で、第２のケースがリアケース６である（換言すると、第１の面が表示部側筐体３の前面３ａで、第２の面が表示部側筐体３の背面３ｂである）が、これに制限されず、本発明は、第１のケースがリアケース６で、第２のケースがフロントケース５である（換言すると、第１の面が表示部側筐体３の背面３ｂで、第２の面が表示部側筐体３の前面３ａである）形態も含む。この場合には、挿入部（挿入間隙）Ｇが表示部側筐体３の前面３ａに位置することになる。
また、挿入部（挿入間隙）Ｇは表示部側筐体３の側面に位置していてもよい。
【００６４】
さらに、本発明は、上述の実施形態のような第１のケース及び第２のケースがそれぞれフロントケース及びリアケースに該当する形態に限定されず、第１のケース及び第２のケースが筐体の同じ面に配置された形態であってもよい。例えば、第１のケース及び第２のケースが共にフロントケースを構成する形態や、第１のケース及び第２のケースが共にリアケースを構成する形態や、第１のケース及び第２のケースが共に筐体の一側面を構成する形態であってもよい。
【００６５】
前記実施形態においては、第１係合部５３が爪で、第２係合部６２が爪受け部であるが、これに制限されず、本発明は、第１係合部５３が爪受け部で、第２係合部６２が爪である形態も含む。
【００６６】
第１係合部５３及び第２係合部６２の個数は、特に制限されない。また、傾斜リブ６３及び収容凹部５４の個数も、特に制限されない。
フロントケース５は、前記実施形態においてはインサート成形により形成されているが、これに制限されず、例えば、板金部材のみから形成されていてもよく、あるいは樹脂成形のみから形成されていてもよい。
本発明の筐体ケースは、表示部側筐体３に制限されず、操作部側筐体２に適用することができる。
【００６７】
前記実施形態における連結部４は、表示部側筐体３と操作部側筐体２とを開閉軸Ｘを中心に開閉可能に連結しているが、連結部４は、表示部側筐体３と操作部側筐体２とを開閉軸Ｘを中心に開閉可能に連結すると共に、開閉軸Ｘに直交する回動軸を中心に回動可能に連結するいわゆる２軸ヒンジ機構を備えていてもよい。
【００６８】
また、本発明の筐体ケースを備えた携帯電話機は、前記実施形態のような折り畳み式ではなく、操作部側筐体２と表示部側筐体３とを重ね合わせた状態から一方の筐体を一方向にスライドさせるようにしたスライド式の携帯電話機であってもよい。また、操作部側筐体２と表示部側筐体３との重ね合せ方向に沿う軸線を中心に一方の筐体を回転させるようにした回転式（リボルバ）の携帯電話機であってもよい。
【００６９】
本発明の筐体ケースは、携帯電話機以外の携帯電子機器における筐体ケースに適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
また、本発明の筐体ケースは、携帯電子機器における筐体ケースに制限されない。
【図面の簡単な説明】
【００７０】
【図１】本発明の一実施形態の筐体ケース３０を備えた携帯電話機１について、操作部側筐体２と表示部側筐体３とを開いた状態で示す斜視図である。
【図２】図１に示す携帯電話機１を折り畳んだ状態で表示部側筐体３のリアケース６側から視た斜視図である。
【図３】筐体ケース３０の背面３０ｂ側から視た表示部側筐体３の分解斜視図である。
【図４】図３におけるＰ部の拡大図である。
【図５】リアケース６を示す図であり、（ａ）は斜視図、（ｂ）は（ａ）におけるＱ部の拡大図であり、（ｃ）は（ｂ）を第３方向Ｄ３に視た図である。
【図６】表示部側筐体３について、第１係合部５３及び第２係合部６２を第２方向Ｄ２に切断した部分断面図（図５（ｃ）におけるＡ−Ａ切断線参照）である。
【図７】図６の部分拡大図である。
【図８】表示部側筐体３について、収容凹部５４及び傾斜リブ６３を第２方向Ｄ２に切断した部分断面図（図５（ｃ）におけるＢ−Ｂ切断線参照）である。
【図９】図８の部分拡大図である。
【図１０】筐体ケース１３０の側面１３０ｃに挿入間隙Ｇ１が位置する従来の筐体ケース１３０の断面図である。
【図１１】筐体ケース２３０の背面２３０ｂに挿入間隙Ｇ２が位置する筐体ケース２３０の断面図である。
【符号の説明】
【００７１】
１  携帯電話機
２  操作部側筐体
３  表示部側筐体（筐体）
３ａ  前面（第１の面）
３ｂ  背面（第２の面）
３０  筐体ケース
４  連結部
５  フロントケース（第１のケース）
５３  第１係合部
５４  収容凹部
６  リアケース（第２のケース）
６１  壁部
６２  第２係合部
６３  傾斜リブ
６３ａ  傾斜面
Ｇ  挿入間隙（挿入部）
Ｈ  へら（挿入部材）
【図１】
2009206752.tif 000003
【図２】
2009206752.tif 000004
【図３】
2009206752.tif 000005
【図４】
2009206752.tif 000006
【図５】
2009206752.tif 000007
【図６】
2009206752.tif 000008
【図７】
2009206752.tif 000009
【図８】
2009206752.tif 000010
【図９】
2009206752.tif 000011
【図１０】
2009206752.tif 000012
【図１１】
2009206752.tif 000013